(57)【要約】【課題】  より少ない操作キーでより多くのユーザ設定を登録することができる画像形成装置を提供すること。【解決手段】  画像形成ジョブの実行に係るユーザ設定を記憶するユーザ設定記憶部１６と、ユーザ設定記憶部１６にユーザ設定を記憶することを指示するための一時保存キー２２１と、一時保存キー２２１により指示された場合に、ユーザ設定をユーザ設定記憶部１６に記憶させるユーザ設定記憶制御部１２と、ユーザ設定記憶部１６に記憶されているユーザ設定の識別情報を表示することを指示するための呼び出しキー２２４と、呼び出しキー２２４により指示された場合に、ユーザ設定記憶部１６に記憶されているユーザ設定の識別情報を表示させ、表示された識別情報に係るユーザ設定に含まれる各設定値を装置に設定するユーザ設定選択制御部１３と、画像形成ジョブを実行する記録部４０とを画像形成装置に備える。【選択図】  図２
2006062193.tif 000002
【特許請求の範囲】
【請求項１】
画像形成ジョブの実行に係る、予め定められた１つ以上の設定項目に対する各設定値からなるユーザ設定を記憶するユーザ設定記憶手段と、
前記ユーザ設定記憶手段に前記ユーザ設定を記憶することを操作者が指示するための、１つの操作キーからなる記憶指示手段と、
前記記憶指示手段により指示が受け付けられた場合に、前記ユーザ設定を前記ユーザ設定記憶手段に記憶させる記憶制御手段と、
前記ユーザ設定記憶手段に記憶されている前記ユーザ設定の識別情報を表示することを操作者が指示するための、１つの操作キーからなる表示指示手段と、
前記表示指示手段により指示が受け付けられた場合に、前記ユーザ設定記憶手段に記憶されている前記ユーザ設定の識別情報を表示させる表示制御手段と、
前記表示制御手段により表示された前記識別情報に係るユーザ設定に含まれる各設定値を装置に設定する設定手段と、
前記設定手段により設定された画像形成ジョブを実行する画像形成ジョブ実行手段と
を備える画像形成装置。
【請求項２】
前記表示制御手段は、前記ユーザ設定記憶手段に複数の前記ユーザ設定が記憶されている場合には、この複数のユーザ設定の識別情報を表示させ、
前記表示制御手段により表示された前記複数のユーザ設定の識別情報から１つのユーザ設定を操作者が選択するための選択手段を更に備え、
前記設定手段は、前記選択手段により選択されたユーザ設定に含まれる各設定値を装置に設定する請求項１に記載の画像形成装置。
【請求項３】
前記ユーザ設定記憶手段に記憶されたユーザ設定を、当該画像形成装置の電源オフに伴い消去する消去手段を更に備える請求項１又は２に記載の画像形成装置。
【請求項４】
前記ユーザ設定が前記ユーザ設定記憶手段に記憶された順序を取得する順序取得手段を更に備え、
前記記憶制御手段は、前記順序取得手段により取得された順序を前記ユーザ設定に対応付けて前記ユーザ設定記憶手段に記憶させ、
前記表示制御手段は、前記順序の最も新しいものから順に前記ユーザ設定の識別情報を表示させる請求項１〜３のいずれかに記載の画像形成装置。
【請求項５】
前記記憶制御手段は、前記ユーザ設定記憶手段に前記ユーザ設定を記憶する場合において、前記ユーザ設定記憶手段に記憶領域が十分にないときには、前記順序の最も古い前記ユーザ設定を消去する請求項４に記載の画像形成装置。
【請求項６】
前記順序取得手段は時刻を計時する計時手段であり、
前記記憶制御手段は、前記ユーザ設定を記憶させるときに、その時点で前記計時手段により計時された時刻を当該ユーザ設定とともに前記ユーザ設定記憶手段に記憶させ、
前記表示制御手段は、前記ユーザ設定の識別情報として、少なくともそのユーザ設定に対応付けられた時刻を表示する請求項４又は５に記載の画像形成装置。
【請求項７】
前記表示制御手段は、前記ユーザ設定の識別情報として時刻が表示された後、予め定められた時間が経過したときに前記時刻の表示を消去する請求項５に記載の画像形成装置。
【請求項８】
前記ユーザ設定記憶手段に記憶されているユーザ設定をバックアップするために記憶する不揮発性の保護記憶手段と、
前記ユーザ設定記憶手段に記憶されているユーザ設定を前記保護記憶手段に記憶させる保護記憶制御手段とを更に備える請求項１〜７のいずれかに記載の画像形成装置。
【請求項９】
前記記憶制御手段により消去されることを禁止するユーザ設定を操作者が指定するための消去禁止指定手段と、
前記消去禁止指定手段により指定されたユーザ設定に消去禁止の旨を付加する付加手段とを更に備え、
前記記憶制御手段は、消去禁止の旨が付加されたユーザ設定は消去しない請求項１〜８のいずれかに記載の画像形成装置。
【請求項１０】
前記付加手段が消去禁止の旨を付加することが可能なユーザ設定の数の上限は、前記ユーザ設定記憶手段に記憶可能なユーザ設定の数より１少ない数である請求項９に記載の画像形成装置。
【発明の詳細な説明】
【技術分野】
【０００１】
本発明は、印刷条件等を設定することの可能な画像形成装置に関する。
【背景技術】
【０００２】
従来、複写機等の画像形成装置の中には、頻繁に使用する、印刷条件等の設定を画像形成装置に登録するためのユーザ設定登録（ジョブ登録）機能を持ったものがある。例えば下記特許文献１には、複数のジョブ登録キーを備え、各ジョブ登録キーにユーザ設定を割り当てて登録することにより、ワンタッチでユーザ設定の登録及び呼び出しを行うことができる画像形成装置についての記載がある。
【特許文献１】特開平１−１１８１５３号公報
【発明の開示】
【発明が解決しようとする課題】
【０００３】
しかしながら、上記のユーザ設定登録の場合、登録数分のジョブ登録キーを備える必要があり、ジョブ登録キーより多くのユーザ設定を登録することができないという問題があった。また、たくさんのジョブ登録キーを備えると、操作部が煩雑になってしまうという問題があった。
【０００４】
本発明は、上記問題点に鑑みて成されたもので、より少ない操作キーでより多くのユーザ設定を登録することができる画像形成装置を提供することを目的とする。
【課題を解決するための手段】
【０００５】
請求項１に係る画像形成装置は、画像形成ジョブの実行に係る、予め定められた１つ以上の設定項目に対する各設定値からなるユーザ設定を記憶するユーザ設定記憶手段と、前記ユーザ設定記憶手段に前記ユーザ設定を記憶することを操作者が指示するための、１つの操作キーからなる記憶指示手段と、前記記憶指示手段により指示が受け付けられた場合に、前記ユーザ設定を前記ユーザ設定記憶手段に記憶させる記憶制御手段と、前記ユーザ設定記憶手段に記憶されている前記ユーザ設定の識別情報を表示することを操作者が指示するための、１つの操作キーからなる表示指示手段と、前記表示指示手段により指示が受け付けられた場合に、前記ユーザ設定記憶手段に記憶されている前記ユーザ設定の識別情報を表示させる表示制御手段と、前記表示制御手段により表示された前記識別情報に係るユーザ設定に含まれる各設定値を装置に設定する設定手段と、前記設定手段により設定された画像形成ジョブを実行する画像形成ジョブ実行手段とを備えるものである。
【０００６】
この構成によれば、画像形成ジョブを実行するときに、画像形成ジョブの画像形成条件の設定に関するユーザ設定を、操作者が１つの操作キーを用いてワンタッチで装置に記憶させ、その後操作者は、装置に記憶されているユーザ設定の中から所望のユーザ設定を、１つ以上の操作キーを用いて、ワンタッチ若しくは比較的少ない操作で装置に設定することができる。したがって、操作者は、煩雑な操作部を用いることなく、かつ煩わしい操作を行うことなく、ユーザ設定を装置に記憶させ、そのユーザ設定を呼び出して装置に設定することができる。
【０００７】
請求項２に係る画像形成装置は、請求項１に記載の画像形成装置であって、前記表示制御手段は、前記ユーザ設定記憶手段に複数の前記ユーザ設定が記憶されている場合には、この複数のユーザ設定の識別情報を表示させ、前記表示制御手段により表示された前記複数のユーザ設定の識別情報から１つのユーザ設定を操作者が選択するための選択手段を更に備え、前記設定手段は、前記選択手段により選択されたユーザ設定に含まれる各設定値を装置に設定するものである。
【０００８】
この構成によれば、１度に複数のユーザ設定の識別情報が表示され、操作者はその中から１つのユーザ設定を選択できるので、多くのユーザ設定が記憶されている場合に、操作で記憶されているユーザ設定を煩雑な操作部を用いることなく、より少ない操作で装置に設定することができる。
【０００９】
請求項３に係る画像形成装置は、請求項１又は２に記載の画像形成装置であって、前記ユーザ設定記憶手段に記憶されたユーザ設定を、当該画像形成装置の電源オフに伴い消去する消去手段を更に備えるものである。
【００１０】
この構成によれば、画像形成装置の電源オフに伴いユーザ設定記憶手段に記憶されたユーザ設定が消去されるので、ユーザ設定を新たに記憶するための領域が電源オフごとに確保され、操作者がユーザ設定の記憶領域の上限を気にする必要がない。
【００１１】
請求項４に係る画像形成装置は、請求項１〜３のいずれかに記載の画像形成装置であって、前記ユーザ設定が前記ユーザ設定記憶手段に記憶された順序を取得する順序取得手段を更に備え、前記記憶制御手段は、前記順序取得手段により取得された順序を前記ユーザ設定に対応付けて前記ユーザ設定記憶手段に記憶させ、前記表示制御手段は、前記順序の最も新しいものから順に前記ユーザ設定の識別情報を表示させるものである。
【００１２】
この構成によれば、最新に記憶されたものから順にユーザ設定の識別情報が表示されるので、より新しく記憶されたユーザ設定ほどより少ない操作で装置に設定することができ、装置に設定される可能性のより高いより新しく記憶されたユーザ設定をより単純な操作で装置に設定することができる。
【００１３】
請求項５に係る画像形成装置は、請求項４に記載の画像形成装置であって、前記記憶制御手段は、前記ユーザ設定記憶手段に前記ユーザ設定を記憶する場合において、前記ユーザ設定記憶手段に記憶領域が十分にないときには、前記順序の最も古い前記ユーザ設定を消去するものである。
【００１４】
この構成によれば、装置にユーザ設定を記憶するための記憶領域が十分にない場合には、既に記憶されているユーザ設定のうち最も古く記憶されたものから順番に消去されるので、使用される可能性が比較的低いと考えられる、古く記憶されたユーザ設定から消去することにより、ユーザの使い勝手を損なうことなく、新たなユーザ設定を記憶することができる。
【００１５】
請求項６に係る画像形成装置は、請求項４又は５に記載の画像形成装置であって、前記順序取得手段は時刻を計時する計時手段であり、前記記憶制御手段は、前記ユーザ設定を記憶させるときに、その時点で前記計時手段により計時された時刻を当該ユーザ設定とともに前記ユーザ設定記憶手段に記憶させ、前記表示制御手段は、前記ユーザ設定の識別情報として、少なくともそのユーザ設定に対応付けられた時刻を表示するものである。
【００１６】
この構成によれば、ユーザ設定の識別情報として、そのユーザ情報が記憶された時刻が表示されるので、ユーザ設定を記憶させた時刻を基に目的のユーザ設定を検索することができる。
【００１７】
請求項７に係る画像形成装置は、請求項５に記載の画像形成装置であって、前記表示制御手段は、前記ユーザ設定の識別情報として時刻が表示された後、予め定められた時間が経過したときに前記時刻の表示を消去するものである。
【００１８】
この構成によれば、時刻の表示を予め定められた時間後に消去するので、消去された領域の分新たに表示エリアを確保することができ、より多くの他の情報を表示することができる。
【００１９】
請求項８に係る画像形成装置は、請求項１〜７のいずれかに記載の画像形成装置であって、前記ユーザ設定記憶手段に記憶されているユーザ設定をバックアップするために記憶する不揮発性の保護記憶手段と、前記ユーザ設定記憶手段に記憶されているユーザ設定を前記保護記憶手段に記憶させる保護記憶制御手段とを更に備えるものである。
【００２０】
この構成によれば、ユーザ設定記憶手段に記憶されているユーザ設定が不揮発性の保護記憶手段にも記憶されるので、ユーザ設定記憶手段に記憶されたユーザ設定が消去された場合にでもユーザ設定をユーザ設定記憶手段に呼び戻すことができる。
【００２１】
請求項９に係る画像形成装置は、請求項１〜８のいずれかに記載の画像形成装置であって、前記記憶制御手段により消去されることを禁止するユーザ設定を操作者が指定するための消去禁止指定手段と、前記消去禁止指定手段により指定されたユーザ設定に消去禁止の旨を付加する付加手段とを更に備え、前記記憶制御手段は、消去禁止の旨が付加されたユーザ設定は消去しないものである。
【００２２】
この構成によれば、消去禁止を指定したユーザ設定は、記憶領域確保のために消去されてしまうことがない。
【００２３】
請求項１０に係る画像形成装置は、請求項９に記載の画像形成装置であって、前記付加手段が消去禁止の旨を付加することが可能なユーザ設定の数の上限は、前記ユーザ設定記憶手段に記憶可能なユーザ設定の数より１少ない数であるものである。
【００２４】
この構成によれば、記憶可能なユーザ設定の全てが消去禁止と指定されてしまうことにより、新たなユーザ設定の登録のための記憶領域が確保することができなくなるということがない。
【発明の効果】
【００２５】
請求項１に記載の発明によれば、画像形成ジョブを実行するときに、画像形成ジョブの画像形成条件の設定に関するユーザ設定を、操作者が１つの操作キーを用いてワンタッチで装置に記憶させ、その後操作者は、装置に記憶されているユーザ設定の中から所望のユーザ設定を、１つ以上の操作キーを用いて、ワンタッチ若しくは比較的少ない操作で装置に設定することができる。したがって、操作者は、煩雑な操作部を用いることなく、かつ煩わしい操作を行うことなく、ユーザ設定を装置に記憶させ、そのユーザ設定を呼び出して装置に設定することができる。
【００２６】
請求項２に記載の発明によれば、１度に複数のユーザ設定の識別情報が表示され、操作者はその中から１つのユーザ設定を選択できるので、多くのユーザ設定が記憶されている場合に、操作で記憶されているユーザ設定を煩雑な操作部を用いることなく、より少ない操作で装置に設定することができる。
【００２７】
請求項３の発明によれば、画像形成装置の電源オフに伴いユーザ設定記憶手段に記憶されたユーザ設定が消去されるので、ユーザ設定を新たに記憶するための領域が電源オフごとに確保され、操作者がユーザ設定の記憶領域の上限を気にする必要がない。
【００２８】
請求項４の発明によれば、最新に記憶されたものから順にユーザ設定の識別情報が表示されるので、より新しく記憶されたユーザ設定ほどより少ない操作で装置に設定することができ、装置に設定される可能性のより高いより新しく記憶されたユーザ設定をより単純な操作で装置に設定することができる。
【００２９】
請求項５の発明によれば、装置にユーザ設定を記憶するための記憶領域が十分にない場合には、既に記憶されているユーザ設定のうち最も古く記憶されたものから順番に消去されるので、使用される可能性が比較的低いと考えられる、古く記憶されたユーザ設定から消去することにより、ユーザの使い勝手を損なうことなく、新たなユーザ設定を記憶することができる。
【００３０】
請求項６の発明によれば、ユーザ設定の識別情報として、そのユーザ情報が記憶された時刻が表示されるので、ユーザ設定を記憶させた時刻を基に目的のユーザ設定を検索することができる。
【００３１】
請求項７の発明によれば、時刻の表示を予め定められた時間後に消去するので、消去された領域の分新たに表示エリアを確保することができ、より多くの他の情報を表示することができる。
【００３２】
請求項８の発明によれば、ユーザ設定記憶手段に記憶されているユーザ設定が不揮発性の保護記憶手段にも記憶されるので、ユーザ設定記憶手段に記憶されたユーザ設定が消去された場合にでもユーザ設定をユーザ設定記憶手段に呼び戻すことができる。
【００３３】
請求項９の発明によれば、消去禁止を指定したユーザ設定は、記憶領域確保のために消去されてしまうことがない。
【００３４】
請求項１０の発明によれば、記憶可能なユーザ設定の全てが消去禁止と指定されてしまうことにより、新たなユーザ設定の登録のための記憶領域が確保することができなくなるということがない。
【発明を実施するための最良の形態】
【００３５】
以下、本発明の一実施形態における画像形成装置について図面を参照しながら説明する。図１は、本発明の一実施形態に係る画像形成装置の一例である複写機の内部構成を概略的に示す側面図である。複写機１は、本体部１ａと、本体部１ａの左方に配設されたスタックトレイ１ｂと、本体部１ａの上部に配設された原稿読取部１ｃと、原稿読取部１ｃの上方に配設された原稿給送部１ｄとを有している。
【００３６】
また、複写機１のフロント部には、操作部２が設けられている。原稿読取部１ｃは、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを画像形成制御部（図示省略）へ出力する。また、原稿給送部１ｄにより給送された原稿を読み取るときは、原稿読取スリット５３と対向する位置に移動され、原稿読取スリット５３を介して原稿給送部１ｄによる原稿の搬送動作と同期して原稿の画像を取得し、その画像データを画像形成制御部へ出力する。
【００３７】
原稿給送部１ｄは、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００３８】
また、原稿給送部１ｄは、その前面側が上方に移動可能となるように本体部１ａに対して回動自在に設けられている。原稿給送部１ｄの前面側を上方に移動させて原稿台５２上面を開放することにより、原稿台５２の上面に読み取り原稿、例えば見開き状態にされた書籍等を操作者が載置できるようになっている。
【００３９】
本体部１ａは、それぞれ用紙種（両面に印刷が可能な普通紙、片面のみに印刷が可能な再利用紙等）やサイズが異なる記録紙を収納する複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。なお、各給紙カセット４６１に収容されている用紙種及び用紙サイズは画像形成制御部に記憶されており、操作者が印刷に用いる用紙種を設定すると、その用紙種が収容されている給紙カセット４６１から記録紙が給紙されるようになっている。
【００４０】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ１ｂ又は排出トレイ４８まで搬送する搬送ローラ４６３，４６４等とを備える。
【００４１】
図２は、本実施形態における複写機１の機能構成を示すブロック図である。複写機１は、操作部２、制御部１０、複写機本体部３、バックアップ記憶部４、及び電源スイッチ部５を備える。ここで、複写機本体部３は、複写機１における操作部２、制御部１０、バックアップ記憶部４、及び電源スイッチ部５以外の部分全てである。バックアップ記憶部４は、不揮発性の記憶装置で、例えばＨＤＤ（ハードディスクドライブ）である。電源スイッチ部５は、操作者が操作するための複写機１の電源スイッチを備えるもので、電源スイッチがオンされた場合には、複写機１に電源を投入し、電源スイッチがオフされた場合には、その旨を終了処理制御部１９に送信する。
【００４２】
操作部２は、複写機１の操作用ユーザインターフェースで、少なくともスタートキー２１及びタッチパネル部２２を備える。スタートキー２１は、複写の開始を指示するためのボタンである。タッチパネル部２２は、タッチパネルディスプレイである。
【００４３】
ここで、本発明に係るユーザ設定登録に関する、操作部２を用いた操作について説明する。図３は、タッチパネル部２２の複写条件設定画面である。図３（ａ）は複写条件設定の基本画面（よく使用される複写条件のみを表示した画面）で、図３（ｂ）は複写条件の全ての設定項目を表示する機能リスト画面である。この両画面において、表示されている設定項目ラベルをタッチすることによりその設定項目に対する設定を行うことができる。これらの複写条件設定画面においては、一時保存キー２２１及び呼び出しキー２２４も表示される。一時保存キー２２１がタッチされた場合には、その時点で設定されている複写条件が複写機１に登録される（この登録に係る複写機１内の動作は後述する）。ここで、設定とは、現在使用するための設定値を装置に記憶することで、登録とは、将来呼び出して使用するための設定値を装置に記憶することとする。また、呼び出しキー２２４がタッチされた場合には、タッチパネル部２２の画面が図４に示すユーザ設定選択画面に切り替わる。
【００４４】
図４は、ユーザ設定選択画面で、図４（ａ）はその１ページ目、図４（ｂ）はその２ページ目である。この画面においては、ユーザ設定を識別するためのラベルとしてのリスト番号２２６及び保存日時２２７、並びに操作のための保護／解除キー２２３、上矢印キー２２４，下矢印キー２２５及びＯＫキー２２２が表示される。以下では、上記のユーザ設定のラベルのリストを選択リストという。選択リストには、例えば保存日時の新しい順に並べてラベルを表示する。リスト番号２２６は、例えば保存日時の古い順に番号を付ける。これにより、最上に表示されているユーザ設定のリスト番号２２６が登録されているユーザ設定の数を表すこととなる。
【００４５】
上矢印キー２２４がタッチされた場合には、選択リストの前のページに画面を遷移させる。前のページがない場合には、例えば上矢印キー２２４の色を薄く表示すると共に上矢印キー２２４の入力を受け付けないようにする。下矢印キー２２５がタッチされた場合には、選択リストの後のページに画面を遷移させる。後のページがない場合には、例えば下矢印キー２２５の色を薄く表示すると共に下矢印キー２２５の入力を受け付けないようにする。選択リストのラベルをタッチされた場合には、図４（ａ）のリスト番号２２６が「３１」のラベルに示すように、そのラベルの保存日時領域を白黒反転し、そのユーザ設定が選択されていることを示す。この状態でＯＫキー２２２がタッチされた場合には、選択されているユーザ設定の内容（複写条件）が複写機１に設定される。ユーザ設定が１つだけ選択されている状態でのみ、ＯＫキー２２２のタッチが有効となる。
【００４６】
また、選択リストによりユーザ設定が選択されている状態で、保護／解除キー２２３がタッチされた場合には、選択されているユーザ設定の内容が消去されないように保護される。また、既に保護されているユーザ設定に同様の操作が行われた場合には保護が解除される。保護されているユーザ設定のリスト番号２２６領域には、図４（ｂ）のリスト番号２２６が「１」〜「５」の領域に示すように、白黒反転される。
【００４７】
図２に戻って、操作部２は、スタートキー２１の押下を受け付けた場合には、その旨を複写制御部１７に送信する。操作部２は、一時保存キー２２１のタッチを受け付けた場合には、その旨をユーザ設定記憶制御部１２に送信する。操作部２は、呼び出しキー２２のタッチを受け付けた場合には、ユーザ設定選択制御部１３に送信する。操作部２は、選択リストのユーザ設定が選択された場合、又は選択が解除された場合には、その旨をユーザ設定選択制御部１３に送信する。操作部２は、ＯＫキー２２２のタッチを受け付けた場合には、その旨をユーザ設定選択制御部１３に送信する。操作部２は、保護／解除キー２２３のタッチを受け付けた場合には、その旨をユーザ設定選択制御部１３に送信する。操作部２は、各種複写条件の設定の入力を受け付けた場合には、その旨を設定制御部１１に送信する。
【００４８】
次に、制御部１０の説明を行う。制御部１０は、複写機１全体を制御するもので、例えばＣＰＵ（中央処理装置）及びＲＡＭ（ランダムアクセスメモリ）、ＲＯＭ（リードオンリーメモリ）等からなる。制御部１０は、設定制御部１１、ユーザ設定記憶制御部１２、ユーザ設定選択制御部１３、設定記憶部１４、カレンダー時計部１５、ユーザ設定記憶部１６、複写制御部１７、バックアップ制御部１８、終了処理制御部１９、及びタイマー部２０を備える。
【００４９】
設定記憶部１４は、各種複写条件（例えば、両面印刷、集約等）の複写機１への現在の設定値を記憶するものである。設定制御部１１は、操作部２を用いて行われる、各種複写条件に対する設定値の入力を受け付けて、設定記憶部１４に書き込むものである。ユーザ設定記憶部１６は、複写機１に対して登録されたユーザ設定を記憶するものである。ユーザ設定記憶部１６は、揮発性のメモリ（例えばＲＡＭ）で、複写機１の電源がオフされた場合には記憶内容が消去される。ユーザ設定記憶部１６は、ユーザ設定を記憶するために図５に示すユーザ設定リストを記憶する。ユーザ設定リストの保護印欄１６１には、その行のユーザ設定が保護対象になっている場合には保護印、例えば「○」が書き込まれる。保存日時欄１６２には、その行のユーザ設定が登録されたときの日時が書き込まれる。設定項目欄１６３には、複写条件の全設定項目（例えば、図３（ｂ）の画面に表示されているもの）の設定値が書き込まれる。ただし、設定値がデフォルト値である場合には、「ｄｅｆ．」と記入する。カレンダー時計部１５は、現在の年月日及び日時を計時するものである。タイマー部２０は、計時開始からの経過時間を計時するものである。
【００５０】
ユーザ設定記憶制御部１２は、一時保存キー２２１がタッチされた旨を受信した場合に、設定記憶部１４に記憶されている複写条件の設定をユーザ設定記憶部１６に書き込む。このとき、カレンダー時計部１５から、この時点での年月日及び時刻を取得して、これを設定値に対応付けて書き込む。保護印欄１６１は、空欄とする。
【００５１】
ユーザ設定選択制御部１３は、呼び出しキー２２４がタッチされた旨を受信した場合に、ユーザ設定記憶部１６に記憶されているユーザ設定を読み出して、タッチパネル部２２にユーザ設定選択画面（図４参照）を表示する。ユーザ設定選択制御部１３は、選択リストのラベルがタッチされた旨を受信した場合には、そのラベルのユーザ設定が選択状態にない場合には、そのユーザ設定を選択状態にし、タッチされたユーザ設定が選択状態にある場合には、そのユーザ設定の選択状態を解除する。ユーザ設定選択制御部１３は、現在の選択状態を記憶する。ユーザ設定選択制御部１３は、ＯＫキー２２２がタッチされた旨を受信した場合には、現在、選択状態にあるユーザ設定の各設定値をユーザ設定記憶部１６から読み出し設定記憶部１４に書き込む。ユーザ設定選択制御部１３は、保護／解除キー２２３がタッチされた旨を受信した場合には、現在、選択状態にあるユーザ設定の保護状態を反転させる。つまり、保護対象となっているユーザ設定については選択リストの表示の保護の表示（リスト番号２２６領域の白黒反転）を外し、ユーザ設定記憶部１６に記憶されているこのユーザ設定の行の保護印欄１６１の保護印を消去する。また、保護対象となっていないユーザ設定については選択リストの表示に保護の表示を付け、ユーザ設定記憶部１６に記憶されているこのユーザ設定の行の保護印欄１６１に保護印を書き込む。
【００５２】
終了処理制御部１９は、複写機１の電源をオフする前に行うべき終了処理を制御するものである。バックアップ制御部１８は、ユーザ設定記憶部１６に記憶されたユーザ設定のうち、保護印の記載されているユーザ設定を、バックアップ記憶部４に書き込む。また、バックアップ制御部１８は、制御部の初期処理として、バックアップ記憶部４に記憶されているユーザ設定をユーザ設定記憶部１６に書き込み、それらのユーザ設定の行の保護印欄１６１に保護印を書き込む。
【００５３】
複写制御部１７は、操作部２からスタートキー２１が押下された旨を受信した場合に、複写を行うための制御を行うものである。複写制御部１７は、このとき、設定記憶部１４から複写条件の設定値を読み出し、これに基づいて複写機本体部３を制御することにより複写を行わせる。
【００５４】
図６、図７及び図８は、複写機１におけるユーザ設定登録に係る制御の流れを示すフローチャートである。ステップＳ１は、複写機１の電源起動時におけるユーザ設定のバックアップ読み込み処理である。ステップＳ１では、複写機１の電源スイッチ５がオンされたことによる制御部１０起動の初期処理として、バックアップ制御部１８は、バックアップ記憶部４に記憶されているユーザ設定をバックアップ記憶部４から読み取り、ユーザ設定記憶部１６に書き込む。このとき、これらのユーザ設定の行の保護印欄１６１に保護印を書き込む。
【００５５】
ステップＳ２〜ステップＳ３は、任意の複写条件（設定項目）に対する値の設定の処理である。ステップＳ２では、操作部２は、操作者により任意の設定項目（例えば、両面印刷、集約等）の設定値が入力されたことを受け付けたか否かをチェックし、受け付けた場合には（ステップＳ２でＹＥＳ）、ステップＳ３へ進む。ステップＳ３では、操作部２は、入力された設定値及びその設定項目の種別を設定制御部１１に送信する。設定制御部１１は受信した設定値をその設定項目に応じて設定記憶部１４の適切な設定項目の欄に書き込む。ステップＳ２の分岐においていずれの設定項目にも設定値が入力されなかった場合（ステップＳ２でＮＯ）、及びステップＳ３の処理が終了した場合には、ステップＳ４へ進む。
【００５６】
ステップＳ４〜ステップＳ１０は、ユーザ設定の登録処理である。ステップＳ４では、操作部２は、一時保存キー２２１がタッチされたか否かをチェックし、タッチされた場合には（ステップＳ４でＹＥＳ）、ステップＳ５へ進む。ステップＳ５では、操作部２は、ユーザ設定記憶制御部１２に一時保存キー２２１がタッチされた旨を送信する。ユーザ設定記憶制御部１２はこれを受けて、まず、設定記憶部１４に記憶されている設定値と同じ内容のユーザ設定が既にユーザ設定記憶部１６に記憶されているか否かをチェックし、記憶されている場合には（ステップＳ５でＹＥＳ）、ステップＳ１０へ進む。ステップＳ１０では、ユーザ設定記憶制御部１２は、タッチパネル部２２に、既に同じ設定が記憶されている旨のメッセージを表示する。ステップＳ５の分岐において、同じ内容のユーザ設定が記憶されていない場合には（ステップＳ５でＮＯ）、ステップＳ６へ進む。ステップＳ６では、ユーザ設定記憶制御部１２は、ユーザ設定記憶部１６に新たにユーザ設定を記憶するための領域があるか否かをチェックし、ない場合には（ステップＳ６でＮＯ）、ステップＳ７へ進む。ステップＳ７では、ユーザ設定記憶制御部１２は、ユーザ設定記憶部１６に記憶されているユーザ設定のうち、保護印欄１６１に保護印が書き込まれていないユーザ設定のうちで保存日時欄１６２に記載されている保存日時が最も古いユーザ設定を消去する。
【００５７】
ステップＳ６の分岐において空き領域がある場合（ステップＳ６でＹＥＳ）、及びステップＳ７の処理が終了した場合には、ステップＳ８へ進む。ステップＳ８では、ユーザ設定記憶制御部１２は、カレンダー時計部１５から現在の日時を取得する。ステップＳ９では、ユーザ設定記憶制御部１２は、ユーザ設定記憶部１６の例えば１番上に新たな行を設けて、カレンダー時計部１５から取得した現在の日時を保存日時欄１６２に、設定記憶部１４に記憶されている設定内容（各複写条件の設定値）を設定項目欄１６３に書き込む。ステップＳ９の処理が終了した場合、及びステップＳ１０の処理が終了した場合には、ステップＳ１１へ進む。
【００５８】
ステップＳ１１〜ステップＳ２５は、ユーザ設定の呼び出し及び保護指定の処理である。ステップＳ１１では、操作部２は、呼び出しキー２２４がタッチされたか否かをチェックし、タッチされた場合には（ステップＳ１１でＹＥＳ）、ステップＳ１２へ進む。ステップＳ１２では、操作部２は、ユーザ設定選択制御部１３に呼び出しキー２２４がタッチされた旨を送信する。ユーザ設定選択制御部１３は、これを受けて、ユーザ設定記憶部１６からユーザ設定を読み出し、タッチパネル部２２にユーザ設定選択画面として、ユーザ設定のリスト番号２２６及び保存日時２２７を表示する。ステップＳ１３では、ユーザ設定選択制御部１３は、タイマー部２０に計時を開始させる。ステップＳ１４では、ユーザ設定選択制御部１３は、タイマー部２０をチェックし、３０秒が経過したか否かをチェックする。３０秒が経過した場合には（ステップＳ１４でＹＥＳ）、ユーザ設定選択制御部１３は、ユーザ設定選択画面から日時の表示を消去し、ユーザ設定選択画面の表示を更新する。この際、表示領域に空きができた分、より多くのユーザ設定を表示させる。ステップＳ１４の分岐において３０秒が経過していない場合（ステップＳ１４でＮＯ）、及びステップＳ１５の処理が終了した場合にはステップＳ１６へ進む。
【００５９】
ステップＳ１６では、操作部２は、ユーザ設定選択画面のラベルにタッチされたか否かをチェックし、タッチされた場合には（ステップＳ１６でＹＥＳ）、ステップＳ１７へ進む。ステップＳ１７では、操作部２は、ユーザ設定選択制御部１３に、ユーザ設定選択画面のラベルがタッチされた旨を送信する。ユーザ設定選択制御部１３は、これを受けて、タッチされたラベルの色を反転表示させる。ステップＳ１６の分岐において選択リストのラベルがタッチされなかった場合（ステップＳ１６でＮＯ）、及びステップＳ１７の処理が終了した場合には、ステップＳ１８へ進む。
【００６０】
ステップＳ１８では、操作部２は、ユーザ設定選択画面のＯＫキー２２２にタッチされたか否かをチェックし、タッチされた場合には（ステップＳ１８でＹＥＳ）、ステップＳ１９へ進む。このとき、ユーザ設定が１つだけ選択されているときのみＯＫキーが受け付けられる。ステップＳ１９では、操作部２は、ユーザ設定選択制御部１３にＯＫキー２２２がタッチされた旨を送信する。ユーザ設定選択制御部１３は、これを受けて、現在選択されている（ユーザ設定選択画面でラベルが反転表示されている）ユーザ設定の各設定値をユーザ設定記憶部１６から読み出し、設定記憶部１４に書き込む。ステップＳ１８の分岐においてＯＫキー２２２がタッチされなかった場合には、（ステップＳ１８でＮＯ）、ステップＳ２０へ進む。
【００６１】
ステップＳ２０では、操作部２は、ユーザ選択画面の保護／解除キー２２３にタッチされたか否かをチェックし、タッチされた場合には（ステップＳ２０でＹＥＳ）、ステップＳ２１へ進む。ステップＳ２１では、操作部２は、ユーザ設定選択制御部１３に保護／解除キー２２３がタッチされた旨を送信する。ユーザ設定選択制御部１３は、これを受けて、現在選択されている（反転表示されている）ユーザ設定の（ユーザ設定記憶部１６の）保護印欄１６１に保護印が書き込まれているか否かをチェックし、書き込まれている場合には（ステップＳ２１でＹＥＳ）、ステップＳ２２へ進む。ステップＳ２２では、ユーザ設定選択制御部１３は、現在選択されているユーザ設定の（ユーザ設定記憶部１６の）保護印欄１６１から保護印を消去する。ステップＳ２１の分岐において、選択されたユーザ設定の保護印欄１６１に保護印が書き込まれていない場合には（ステップＳ２１でＮＯ）、ステップＳ２３へ進む。
【００６２】
ステップＳ２３では、ユーザ設定選択制御部１３は、ユーザ設定記憶部１６に記憶可能なユーザ設定の最大数から１を引いた数だけのユーザ設定に既に保護印が書き込まれているか否かをチェックし、書き込まれていない場合（保護印が書き込まれているユーザ設定の数が前記最大数から１を引いた数より小さい場合）には（ステップＳ２３でＮＯ）、ステップＳ２４へ進む。ステップＳ２４では、ユーザ設定選択制御部１３は、現在選択されているユーザ設定の（ユーザ設定記憶部１６の）保護印欄１６１に保護印を書き込む。ステップＳ２３の分岐において、保護印が書き込まれているユーザ設定の数が前記最大数から１を引いた数である場合には（ステップＳ２３でＹＥＳ）、ステップＳ２５へ進む。ステップＳ２５では、ユーザ設定選択制御部１３は、タッチパネル部２２に、全てのユーザ設定を保護対象にすることはできない旨を表示する。
【００６３】
ステップＳ１１の分岐において呼び出しキーがタッチされていない場合（ステップＳ１１でＮＯ）、ステップＳ１９の処理が終了した場合、ステップＳ２２の処理が終了した場合、ステップＳ２４の処理が終了した場合、及びステップＳ２５の処理が終了した場合には、ステップＳ２６へ進む。
【００６４】
ステップＳ２６では、操作部２は、スタートキー２１が押下されたか否かをチェックし、押下された場合には（ステップＳ２６でＹＥＳ）、ステップＳ２７へ進む。ステップＳ２７では、操作部２は、複写制御部１７にスタートキー２１が押下された旨を送信する。複写制御部１７は、これを受けて、設定記憶部１４から複写条件の設定値を読み出し、この複写条件で複写機本体部３を制御して複写を行わせる。ステップＳ２６の分岐においてスタートキーが押下されなかった場合（ステップＳ２６でＮＯ）、及びステップＳ２７の処理が終了した場合には、ステップＳ２８へ進む。
【００６５】
ステップＳ２８〜ステップＳ３０は、複写機１の電源オフに伴うユーザ設定のバックアップ処理である。ステップＳ２８では、電源スイッチ部５は、電源スイッチがオフされたか否かをチェックし、オフされなかった場合には（ステップＳ２８でＮＯ）、ステップＳ２へ戻り、ステップＳ２からの処理を繰り返す。ステップＳ２８の分岐において電源スイッチがオフされた場合には（ステップＳ２８でＹＥＳ）、ステップＳ２９へ進む。ステップＳ２９では、電源スイッチ部５は、終了処理制御部１９に終了処理の指示を送信する。終了処理制御部１９はこれを受けて、終了処理の１つとして、バックアップ制御部１８にユーザ設定のバックアップを指示する。バックアップ制御部１８は、ユーザ設定記憶部１６に記憶されているユーザ設定のうち、保護印欄１６１に保護印が書き込まれていないユーザ設定をバックアップ記憶部４に書き込む。ステップＳ３０では、終了処理制御部１９は、全ての終了処理を行った後、複写機１の電源をオフする。
【００６６】
このように本実施形態によれば、一時保存キー２２１をタッチすることにより現在の複写条件が複写機１にユーザ設定として記憶され、呼び出しキー２２４をタッチすることによりユーザ設定のリストを表示させ、このリストから所望のユーザ設定を選択することにより、ユーザ設定を呼び出して複写機１に設定することができる。これにより、操作部２を煩雑にすることなく、より少ない操作によりユーザ設定の登録及び呼び出しを行うことができる。
【００６７】
なお、本発明は、上記実施形態のものに限定されるものではなく、以下に述べる態様を採用することができる。本実施形態においては、画像形成装置として複写機を用いて説明したが、プリンタ、ファクシミリ装置等やこれらの機能を統合した複合機であってもよい。
【００６８】
また、本実施形態においては、呼び出しキー２２４がタッチされた場合に、ユーザ設定選択画面により複数のユーザ設定を表示して選択させるようにしたが、呼び出しキー２２４がタッチされた場合に、リストの先頭（例えば保存日時が最も新しい）ユーザ設定を複写機１に（操作者に選択リストから選択させることなく）設定するようにしてもよい。また、呼び出しキー２２４がタッチされた回数やタッチされている時間の長さにより、複写機１に設定するユーザ設定を選択するようにしてもよい。
【００６９】
本実施形態においては、ユーザ設定記憶部１６に揮発性メモリを用い、ユーザ設定記憶部１６と当該複写機１に同じ電源系統を用いることにより（消去手段）、複写機１の電源がオフされた場合に、ユーザ設定記憶部１６の記憶内容が消去されるようにしたが、ユーザ設定記憶部１６に不揮発性の記憶装置を用いて、電源オフ時の終了処理としてユーザ設定記憶部１６の内容を消去するようにしてもよい。
【００７０】
本実施形態においては、ユーザ設定選択画面に表示するユーザ設定を識別するためのラベルとしてリスト番号２２６及び保存日時２２７を表示したが、その他の情報として、例えば設定内容等を表示するようにしてもよい。また、本実施形態においては、順序取得手段の用いる順序情報として保存日時を用いたが、例えば保存の順にユーザ設定に番号を付加してこの番号を順序情報として用いてもよい。
【図面の簡単な説明】
【００７１】
【図１】本発明の一実施形態における画像形成装置の機械的構成を示す側面概略図である。
【図２】本発明の一実施形態における画像形成装置の機能的構成を示すブロック図である。
【図３】本発明の一実施形態におけるタッチパネル部の複写条件設定画面の例を示す図で、（ａ）は基本画面、（ｂ）は全設定項目の一覧画面を示す図である。
【図４】本発明の一実施形態におけるタッチパネル部のユーザ設定選択画面の例を示す図で、（ａ）は１ページ目、（ｂ）は２ページ目を示す図である。
【図５】本発明の一実施形態におけるユーザ設定登録記憶部の記憶内容を示す図である。
【図６】本発明の一実施形態における画像形成装置の処理の流れを示すフローチャートである。
【図７】本発明の一実施形態における画像形成装置の処理の流れを示すフローチャートである。
【図８】本発明の一実施形態における画像形成装置の処理の流れを示すフローチャートである。
【符号の説明】
【００７２】
１  複写機（画像形成装置）
１２  ユーザ設定記憶制御部（記憶制御手段）
１３  ユーザ設定選択制御部（表示制御手段、設定手段、付加手段）
１５  カレンダー時計部（順序取得手段）
１６  ユーザ設定記憶部（ユーザ設定記憶手段）
１８  バックパップ制御部（保護記憶制御手段）
２２  タッチパネル部（選択手段、消去禁止指定手段）
２２１  一時保存キー（記憶指示手段）
２２２  ＯＫキー（選択手段）
２２３  保護／解除キー（消去禁止指定手段）
２２４  呼び出しキー（表示指示手段）
４  バックアップ記憶部（保護記憶手段）
４０  記録部（画像形成ジョブ実行手段）
【図１】
2006062193.tif 000003
【図２】
2006062193.tif 000004
【図３】
2006062193.tif 000005
【図４】
2006062193.tif 000006
【図５】
2006062193.tif 000007
【図６】
2006062193.tif 000008
【図７】
2006062193.tif 000009
【図８】
2006062193.tif 000010